(57)【要約】  再送において、リソース割り当て信号を検出できなかった場合でも、送信パケットの衝突発生率を低減する無線送信装置及び無線送信方法を提供する。再送用リソース判定部（２０５）は、復号部（２０４）から出力された制御情報にＮＡＣＫと再送用Ｇｒａｎｔとが含まれていた場合、再送用Ｇｒａｎｔの指示するリソースを再送用リソースと判断する。また、再送用Ｇｒａｎｔを検出できず、初回送信が広帯域送信であった場合、再送用リソース判定部（２０５）は、再送用リソースが存在しないと判断し、再送を停止するようＲＢ割当部（２０９）に指示する。また、再送用Ｇｒａｎｔを検出できず、初回送信が狭帯域送信であった場合、予め決められたリソースを再送用リソースと判断する。
2010035495.tif 000002
【特許請求の範囲】
【請求項１】
送信データにリソースを割り当てるリソース割当手段と、
リソースを割り当てた前記送信データを送信する送信手段と、
初回送信が所定値以上の送信帯域幅を用い、かつ、再送用のリソース割り当て信号を検出できなかった場合、前記リソース割当手段に再送の停止を指示する再送用リソース判定手段と、
を具備する無線送信装置。
【請求項２】
前記再送用リソース判定手段は、初回送信が所定値以上の送信帯域幅を用いるか又は初回送信が不連続な送信帯域を用い、かつ、再送用のリソース割り当て信号を検出できなかった場合、前記リソース割当手段に再送の停止を指示する請求項１に記載の無線送信装置。
【請求項３】
前記再送用リソース判定手段は、再送回数が所定回数以上であり、初回送信が所定値以上の送信帯域幅を用い、かつ、再送用のリソース割り当て信号を検出できなかった場合、前記リソース割当手段に再送の停止を指示する請求項１に記載の無線送信装置。
【請求項４】
前記再送用リソース判定手段は、再送回数が所定回数未満であり、初回送信が所定値以上の送信帯域幅を用い、かつ、再送用のリソース割り当て信号を検出できなかった場合、前記リソース割当手段に再送の停止を指示する請求項１に記載の無線送信装置。
【請求項５】
送信データにリソースを割り当てるリソース割当工程と、
リソースを割り当てた前記送信データを送信する送信工程と、
初回送信が所定値以上の送信帯域幅を用い、かつ、再送用のリソース割り当て信号を検出できなかった場合、再送を停止する再送用リソース判定工程と、
を具備する無線送信方法。
【発明の詳細な説明】
【技術分野】
【０００１】
本発明は、再送を行う無線送信装置及び無線送信方法に関する。
【背景技術】
【０００２】
誤り制御技術の一つとして、ＨＡＲＱ（Hybrid Auto Repeat reQuest）がある。ＨＡＲＱは、送信側が誤ったパケットを再送し、受信側において受信済みパケットと再送パケットとを合成することにより、誤り訂正能力を向上させ、高品質伝送を実現する技術である。このＨＡＲＱ技術は、ＨＳＤＰＡ（High Speed Downlink Packet Access）及びＬＴＥ（Long Term Evolution）において採用されている。【０００３】
ＨＡＲＱの方法として、アダプティブＨＡＲＱ（adaptive HARQ）とノンアダプティブＨＡＲＱ（non-adaptive HARQ）とが検討されている。アダプティブＨＡＲＱは、再送パケットを任意のリソースに割り当てる方法である。一方、ノンアダプティブＨＡＲＱは、再送パケットを予め定められているリソースに割り当てる方法である。【０００４】
アダプティブＨＡＲＱは、送信時の伝搬路品質の良いリソースにパケットを割り当てるので、パケットの誤り率を改善することができ、再送回数を低減させることができる。逆に、任意のリソースにパケットを割り当てるため、パケット送信毎にパケットの割り当てリソース位置を通知するためのシグナリングが必要となり、シグナリングオーバーヘッドが増大するという問題がある。【０００５】
一方、ノンアダプティブＨＡＲＱは、予め定められているリソースにパケットを割り当てるので、送信時の伝搬路品質は必ずしも良いとはいえず、平均的なパケットの誤り率となるため、再送回数が増加する傾向となる。逆に、予め定められたリソースにパケットを割り当てるため、パケット送信毎にパケットの割り当てリソース位置を通知する必要がなく、シグナリングオーバーヘッドが小さいという利点がある。【０００６】
このように、アダプティブＨＡＲＱとノンアダプティブＨＡＲＱとの間には、再送回数とシグナリングオーバーヘッドに関してトレードオフの関係がある。そこで、このトレードオフの関係を解決する方法として、アダプティブＨＡＲＱとノンアダプティブＨＡＲＱとを組み合わせたセミアダプティブＨＡＲＱ（semi-adaptive HARQ）が提案されている。【０００７】
ここで、セミアダプティブＨＡＲＱについて、上り回線のパケット伝送を想定して説明する。セミアダプティブＨＡＲＱでは、基地局は、リソース割り当てを変更したい場合にのみ、リソースの位置、すなわち、スケジューリング情報を通知するためのシグナリングを実施する。無線通信端末装置（以下、単に「端末」という）は、基地局からのシグナリングを受信できなければ、自端末宛のスケジューリング情報が基地局より送信されなかったと判断し、予め定められているリソースでパケットを送信する。一方、基地局からのシグナリングを受信できた場合、端末はシグナリングによって通知されたリソース位置でパケットを送信する。つまり、端末は基地局からのシグナリングの有無に応じて、アダプティブＨＡＲＱとノンアダプティブＨＡＲＱとを切り替えることとなる。【０００８】
このように、セミアダプティブＨＡＲＱにより、基地局は必要に応じてシグナリングを送信し、パケットの割り当てリソース位置を変更すればよいため、少ないシグナリングオーバーヘッドで再送回数を低減することが可能となる。
【先行技術文献】
【非特許文献】
【０００９】
【非特許文献１】3GPP TS 36.300 V8.3.0 Technical Specification Group Radio Access Network; E-UTRA and E-UTRAN; Overall description; Stage 2 (Release 8), "11 Scheduling and Rate Control"
【発明の概要】
【発明が解決しようとする課題】
【００１０】
しかしながら、上述した技術では、端末がリソース割り当てシグナルを検出できなかった場合、予め定められたリソースでパケットを送信するため、他の端末が同じリソースを使用してパケットを送信した場合、パケットの衝突が発生するという問題がある。【００１１】
本発明の目的は、再送において、リソース割り当て信号を検出できなかった場合でも、送信パケットの衝突発生率を低減する無線送信装置及び無線送信方法を提供することである。
【課題を解決するための手段】
【００１２】
本発明の無線送信装置は、送信データにリソースを割り当てるリソース割当手段と、リソースを割り当てた前記送信データを送信する送信手段と、初回送信が所定値以上の送信帯域幅を用い、かつ、再送用のリソース割り当て信号を検出できなかった場合、前記リソース割当手段に再送の停止を指示する再送用リソース判定手段と、を具備する構成を採る。【００１３】
本発明の無線送信方法は、送信データにリソースを割り当てるリソース割当工程と、リソースを割り当てた前記送信データを送信する送信工程と、初回送信が所定値以上の送信帯域幅を用い、かつ、再送用のリソース割り当て信号を検出できなかった場合、再送を停止する再送用リソース判定工程と、を具備するようにした。
【発明の効果】
【００１４】
本発明によれば、再送において、リソース割り当て信号を検出できなかった場合でも、送信パケットの衝突発生率を低減することができる。
【図面の簡単な説明】
【００１５】
【図１】本発明の実施の形態１に係る基地局の構成を示すブロック図
【図２】本発明の実施の形態１に係る端末の構成を示すブロック図
【図３】広帯域送信の再送と狭帯域送信の再送とにおいて、リソースが衝突する様子を示す図
【図４】Ｎ回毎に処理を繰り返す様子を示す図
【図５】Ｎ回毎に処理を繰り返す様子を示す図
【発明を実施するための形態】
【００１６】
以下、本発明の実施の形態について、図面を参照して詳細に説明する。ただし、実施の形態において、同一機能を有する構成には、同一符号を付し、重複する説明は省略する。
【００１７】
（実施の形態１）
図１は、本発明の実施の形態１に係る基地局１００の構成を示すブロック図である。図１において、符号化部１０１は、入力された送信データ及び制御情報に対して符号化処理を施して符号語データを生成し、変調部１０２に出力する。変調部１０２は、符号化部１０１から出力された符号語データに対して変調処理を施してデータシンボルを生成し、送信ＲＦ部１０３に出力する。送信ＲＦ部１０３は、変調部１０２から出力されたデータシンボルに対してＤ／Ａ変換、増幅及びアップコンバート等の送信処理を施し、アンテナ１０４から各端末へ送信する。
【００１８】
受信ＲＦ部１０５は、アンテナ１０４を介して受信される各端末からの信号に対しダウンコンバート、Ａ／Ｄ変換等の受信処理を施し、分離部１０６に出力する。
【００１９】
分離部１０６は、受信ＲＦ部１０５から出力された信号をパイロット信号とそれ以外のデータ信号及び制御信号とに分離して、パイロット信号はＤＦＴ（Discrete Fourier Transform）部１０７に出力し、データ信号及び制御信号はＤＦＴ部１０８に出力する。
【００２０】
ＤＦＴ部１０７は、分離部１０６から出力されたパイロット信号にＤＦＴ処理を施し、デマッピング部１０９に出力し、ＤＦＴ部１０８は、分離部１０６から出力されたデータ信号及び制御信号にＤＦＴ処理を施し、デマッピング部１１１に出力する。
【００２１】
デマッピング部１０９は、ＤＦＴ部１０７から出力されたパイロット信号のうち、各端末の送信帯域に対応した部分を抽出し、伝播路推定部１１０に出力する。
【００２２】
伝播路推定部１１０は、デマッピング部１０９から出力された信号を用いて、伝播路の周波数変動及び受信品質を推定し、周波数変動の推定値を周波数領域等化部１１２に出力し、受信品質の推定値をスケジューリング部１１７に出力する。
【００２３】
一方、デマッピング部１１１は、ＤＦＴ部１０８から出力されたデータ信号及び制御信号のうち、各端末の送信帯域に対応した部分を抽出し、周波数領域等化部１１２に出力する。
【００２４】
周波数領域等化部１１２は、伝播路測定部１１０から出力された伝搬路の周波数変動の推定値を用いて、デマッピング部１１１から出力されたデータ信号及び制御情報に対して周波数領域での等化処理を行い、等化処理した信号をＩＦＦＴ（Inverse Fast Fourier Transfrom）部１１３に出力する。
【００２５】
ＩＦＦＴ部１１３は、周波数領域等化部１１２から出力された信号にＩＦＦＴ処理を施し、復調部１１４に出力する。復調部１１４は、ＩＦＦＴ部１１３から出力されたデータ信号及び制御信号に復調処理を施し、復号部１１５に出力する。復号部１１５は、復調部１１４から出力された信号に対して復号処理を行い、誤り検出部１１６に出力する。
【００２６】
誤り検出部１１６は、復号部１１５から出力された復号ビット列に対して誤り検出を行う。例えば、ＣＲＣ（Cyclic Redundancy Check）を用いて誤り検出を行う。誤り検出の結果、復号ビット列に誤りがある場合には、応答信号としてＮＡＣＫ信号（制御情報）を生成し、逆に、復号に誤りがない場合には、応答信号としてＡＣＫ信号（制御情報）を生成する。ＡＣＫ／ＮＡＣＫ信号は制御情報として符号化部１０１及びスケジューリング部１１７に出力される。また、復号ビット列に誤りがない場合は復号ビット列を受信ビット列（受信データ）として出力する。
【００２７】
スケジューリング部１１７は、伝播路推定部１１０から出力された受信品質の推定値を用いて、各端末に周波数割り当て（スケジューリング）を行い、スケジューリング情報を制御情報として符号化部１０１及び再送用Ｇｒａｎｔ生成部１１８に出力する。
【００２８】
再送用Ｇｒａｎｔ生成部１１８は、初回送信が所定の閾値以上の帯域幅（広帯域送信）を用いた端末には、再送用Ｇｒａｎｔ（リソース割当情報又はスケジューリング情報）を生成して制御情報として符号化部１０１に出力する。また、再送用Ｇｒａｎｔ生成部１１８は、初回送信が所定の閾値未満の帯域幅（狭帯域送信）を用いた端末には再送用Ｇｒａｎｔの有無を選択し、再送用Ｇｒａｎｔが必要であれば再送用Ｇｒａｎｔを生成して制御情報として符号化部１０１に出力する。
【００２９】
図２は、本発明の実施の形態１に係る端末２００の構成を示すブロック図である。図２において、受信ＲＦ部２０２は、基地局１００から送信された信号をアンテナ２０１を介して受信し、受信した信号にダウンコンバート、Ａ／Ｄ変換等の受信処理を施して復調部２０３に出力する。復調部２０３は、受信ＲＦ部２０２から出力された信号に対して等化処理及び復調処理を行い、復号部２０４に出力する。復号部２０４は、復調部２０３から出力された信号に対して復号処理を施してデータ信号及び制御情報を抽出する。ここで、制御情報は再送用リソース判定部２０５、符号化部２０７、変調部２０８、ＲＢ（Resource Block）割当部２０９、多重化部２１０に出力される。なお、制御情報には、再送用Ｇｒａｎｔ、ＡＣＫ／ＮＡＣＫ情報、初回送信の帯域幅などの情報が含まれる。
【００３０】
再送用リソース判定部２０５は、復号部２０４から出力された制御情報にＮＡＣＫと再送用Ｇｒａｎｔとが含まれていた場合、再送用Ｇｒａｎｔの指示するリソースを再送用リソースと判断し、再送用リソースをＲＢ割当部２０９に出力する。ただし、再送用Ｇｒａｎｔを検出できず、初回送信が広帯域送信であった場合、再送用リソース判定部２０５は、再送用リソースが存在しないと判断し、再送を停止するようＲＢ割当部２０９に指示する。また、再送用Ｇｒａｎｔを検出できず、初回送信が狭帯域送信であった場合、予め決められたリソースを再送用リソースと判断し、再送用リソースをＲＢ割当部２０９に出力する。
【００３１】
ＣＲＣ部２０６は、入力された送信データ列に対して誤り検出符号化を施し、符号化部２０７に出力する。符号化部２０７は、復号部２０４から出力された制御情報に基づいて、ＣＲＣ部２０６から出力された信号に符号化処理を施して符号語データを生成し、変調部２０８に出力する。変調部２０８は、復号部２０４から出力された制御情報に基づいて、符号化部２０７から出力された符号語データに対して変調処理を施してデータシンボルを生成し、ＲＢ割当部２０９に出力する。ＲＢ割当部２０９は、復号部２０４から出力された制御情報及び再送用リソース判定部２０５から出力された再送用リソースに基づいて、変調部２０８から出力されたデータシンボルにリソースブロックを割り当て、多重化部２１０に出力する。多重化部２１０は、復号部２０４から出力された制御情報に基づいて、入力されたパイロット信号とＲＢ割当部２０９から出力された送信データとを時間多重し、送信ＲＦ部２１１に出力する。送信ＲＦ部２１１は、多重化部２１０から出力された送信データとパイロット信号とに対してＤ／Ａ変換、増幅及びアップコンバート等の送信処理を施し、アンテナ２０１から基地局１００へ送信する。
【００３２】
ここで、広帯域送信の再送と狭帯域送信の再送とにおいて、リソースが衝突する様子について図３を用いて説明する。図３Ａは狭帯域送信の再送の場合を示しており、この場合、再送する端末が他端末Ａにのみ干渉を与えている。一方、図３Ｂは広帯域送信の再送の場合を示しており、この場合、再送する端末が他端末Ａ〜Ｃに幅広く干渉を与えている。このように、広帯域送信の再送が狭帯域送信の再送より多数の端末に干渉を与えることが分かる。
【００３３】
そこで、本実施の形態では、上述したように、広帯域送信の端末が再送用Ｇｒａｎｔを検出できなかった場合には、再送を停止するようにした。これにより、広帯域送信の端末が多数の他の端末に干渉を与えることを回避することができ、送信パケットの衝突発生率を低減することができる。
【００３４】
このように実施の形態１によれば、初回送信が広帯域送信の端末が再送用Ｇｒａｎｔを検出できなかった場合、端末からの再送を停止することにより、広帯域送信の端末が多数の他の端末に干渉を与えることを回避することができ、送信パケットの衝突発生率を低減することができ、よって、他の端末の受信品質を改善することができる。
【００３５】
なお、端末が送信に用いるサブキャリア数を一定とした場合、サブキャリアが連続する周波数帯域であれば不連続な周波数帯域よりも狭帯域送信となる。つまり、上述した狭帯域送信を連続する周波数帯域、広帯域送信を不連続な周波数帯域と置き換えてもよい。また、狭帯域送信及び広帯域送信を、R1-062513,“Performance comparison between LFDMA and DFSMA transmission in UL”, 3GPP TSG RAN1#46bis, Seoul, Korea, October 9-13, 2006などに記載されているローカライズド（Localized）送信及びディストリビューティド（Distributed）送信にそれぞれ置き換えてもよい。つまり、連続する周波数帯域としてはローカライズド送信、不連続な周波数帯域としてはディストリビューティド送信と置き換えることができる。
【００３６】
具体的には、不連続な周波数帯域を用いる端末と連続する周波数帯域を用いる端末とが存在するシステムにおいて、初回送信で不連続な周波数帯域を用いた端末には、基地局はＮＡＣＫと再送用Ｇｒａｎｔを組にして送信する。また、初回送信で連続する周波数帯域を用いた端末には、基地局はＮＡＣＫのみ又はＮＡＣＫと再送用Ｇｒａｎｔとの組みのいずれかを選択する。
【００３７】
一方、端末では、初回送信で不連続な周波数帯域を用いた端末が再送用Ｇｒａｎｔを検出できなかった場合、端末は再送を停止する。また、初回送信で連続する周波数帯域を用いた端末が再送用Ｇｒａｎｔを検出できなかった場合、予め決められたリソースで再送する。なお、不連続な周波数帯域を用いる端末、連続する周波数帯域を用いる端末のいずれにおいても、再送用Ｇｒａｎｔを検出すれば再送用Ｇｒａｎｔの指示するリソースに従って再送する。
【００３８】
また、ディストリビューティド送信を行う端末とローカライズド送信を行う端末とが存在するシステムにおいて、初回送信でディストリビューティド送信を行う端末には、基地局はＮＡＣＫと再送用Ｇｒａｎｔを組にして送信する。また、初回送信でローカライズド送信を行う端末には、基地局はＮＡＣＫのみ又はＮＡＣＫと再送用Ｇｒａｎｔとの組みのいずれかを選択する。
【００３９】
一方、端末では、初回送信でディストリビューティド送信を行った端末が再送用Ｇｒａｎｔを検出できなかった場合、端末は再送を停止する。また、初回送信でローカライズド送信を行った端末が再送用Ｇｒａｎｔを検出できなかった場合、予め決められたリソースで再送する。なお、ディストリビューティド送信を行う端末、ローカライズド送信を行う端末のいずれにおいても、再送用Ｇｒａｎｔを検出すれば再送用Ｇｒａｎｔの指示するリソースに従って再送する。
【００４０】
ここで、ＬＴＥに対応する端末ではローカライズド送信（または連続する周波数帯域）が用いられ、ＬＴＥ−Ａｄｖａｎｃｅｄに対応する端末ではローカライズド送信（または連続する周波数帯域）に加え、ディストリビューティド送信（または不連続な周波数帯域）が用いられることが検討されている。また、ＬＴＥ−Ａｄｖａｎｃｅｄでは、ＬＴＥ−Ａｄｖａｎｃｅｄに対応する端末のみならず、ＬＴＥに対応する端末が収容されることが検討されており、ＬＴＥ−ＡｄｖａｎｃｅｄではＬＴＥ対応の端末及びＬＴＥ−Ａｄｖａｎｃｅｄ対応の端末が同一周波数帯域で共存することが検討されている。すなわち、ＬＴＥ−Ａｄｖａｎｃｅｄでは、ディストリビューティド送信（または不連続な周波数帯域）を用いる端末の数よりも、ローカライズド送信（または連続する周波数帯域）を用いる端末の数の方が多くなる。
【００４１】
よって、端末が基地局からの再送用Ｇｒａｎｔを検出できなかった場合に、その端末から干渉を受けてしまう可能性がある他の端末として、ローカライズド送信（または連続する周波数帯域）を用いる端末を考慮することが望ましい。そこで、上記の説明では、基地局が再送用Ｇｒａｎｔを端末に送信する際に、再送用Ｇｒａｎｔが送信されない場合に用いる予め決められたリソースに割り当てる他の端末として、ローカライズド送信（または連続する周波数帯域）を用いる端末を想定した。
【００４２】
（実施の形態２）
本発明の実施の形態２に係る基地局及び端末の構成は、実施の形態１の図１及び図２に示した構成と同様であり、一部の機能が異なるのみなので、図１及び図２を援用し、異なる機能について説明する。
【００４３】
本発明の実施の形態２に係る基地局において、再送用Ｇｒａｎｔ生成部１１８は、初回送信で広帯域送信を用いた端末には再送Ｎ回未満で再送用Ｇｒａｎｔを生成せず、再送Ｎ回以上で再送用Ｇｒａｎｔを生成して制御情報として符号化部１０１に出力する。また、初回送信で狭帯域送信を用いた端末には再送用Ｇｒａｎｔの有無を選択し、再送用Ｇｒａｎｔが必要であれば再送用Ｇｒａｎｔを生成して制御情報として符号化部１０１に出力する。なお、Ｎは正数であり、上限は各種パラメータによって決定される。なお、初回送信で広帯域送信を用いた端末には再送Ｎ回未満で再送用Ｇｒａｎｔの有無を選択し、再送用Ｇｒａｎｔが必要であれば再送用Ｇｒａｎｔを生成して制御情報として符号化部１０１に出力してもよい。
【００４４】
本発明の実施の形態２に係る端末において、再送用リソース判定部２０５は、復号部２０４から出力された制御情報にＮＡＣＫと再送用Ｇｒａｎｔとが含まれていた場合、再送用Ｇｒａｎｔの指示するリソースを再送用リソースと判断し、再送用リソースをＲＢ割当部２０９に出力する。ただし、再送Ｎ回以上で再送用Ｇｒａｎｔを検出できず、初回送信が広帯域送信であった場合、再送用リソース判定部２０５は、再送用リソースが存在しないと判断し、再送を停止するよう、ＲＢ割当部２０９に指示する。また、再送Ｎ回未満で再送用Ｇｒａｎｔを検出できず、初回送信が広帯域送信であった場合、及び、再送用Ｇｒａｎｔを検出できず、初回送信が狭帯域送信であった場合、予め決められたリソースを再送用リソースと判断し、再送用リソースをＲＢ割当部２０９に出力する。
【００４５】
このように実施の形態２によれば、初回送信が広帯域送信の端末が再送Ｎ回以上で再送用Ｇｒａｎｔを検出できなかった場合、端末からの再送を停止し、再送Ｎ回未満で再送用Ｇｒａｎｔを送信しないことにより、シグナリング量を低減することができる。
【００４６】
なお、不連続な周波数帯域を用いる端末と連続する周波数帯域を用いる端末とが存在するシステムにおいて、初回送信で不連続な周波数帯域を用い、（１）再送Ｎ回未満の端末には基地局はＮＡＣＫのみ送信し、（２）再送Ｎ回以上となる端末には基地局はＮＡＣＫと再送用Ｇｒａｎｔとを組にして送信する。また、初回送信で連続する周波数帯域を用いる端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信する。なお、初回送信で不連続な周波数帯域を用い、再送Ｎ回未満の端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信してもよい。
【００４７】
一方、端末では、初回送信で不連続な周波数帯域を用いた端末が再送Ｎ回以上で再送用Ｇｒａｎｔを検出できなかった場合、端末は再送を停止する。また、初回送信で不連続な周波数帯域を用いた端末がＮ回未満の再送で再送用Ｇｒａｎｔを検出できなかった場合、予め決められたリソースで再送する。さらに、初回送信で連続する周波数帯域を用いた端末が再送用Ｇｒａｎｔを検出できなかった場合、端末は予め決められたリソースで再送する。なお、連続する周波数帯域又は不連続な周波数帯域を用いる端末が、再送用Ｇｒａｎｔを検出すれば再送用Ｇｒａｎｔの指示するリソースに従って再送する。
【００４８】
また、ディストリビューティド送信を行う端末とローカライズド送信を行う端末とが存在するシステムにおいて、初回送信でディストリビューティド送信を行い、（１）再送Ｎ回未満の端末には基地局はＮＡＣＫのみ送信し、（２）再送Ｎ回以上となる端末には基地局はＮＡＣＫと再送用Ｇｒａｎｔを組にして送信する。また、初回送信でローカライズド送信を用いる端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信する。なお、初回送信でディストリビューティド送信を用い、再送Ｎ回未満の端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信してもよい。
【００４９】
一方、端末では、初回送信でディストリビューティド送信を行い、再送Ｎ回以上となる端末が再送用Ｇｒａｎｔを検出できなかった場合、端末は再送を停止する。また、初回送信でディストリビューティド送信を行った端末がＮ回未満の再送で再送用Ｇｒａｎｔを検出できなかった場合、予め決められたリソースで再送する。さらに、初回送信でローカライズド送信を用いた端末が再送用Ｇｒａｎｔを検出できなかった場合、端末は予め決められたリソースで再送する。なお、ディストリビューティド送信を行う端末、ローカライズド送信を行う端末のいずれにおいても、再送用Ｇｒａｎｔを検出すれば再送用Ｇｒａｎｔの指示するリソースに従って再送する。
【００５０】
なお、本実施の形態では、Ｎ回未満とＮ回以上とで処理を変更するものとして説明したが、Ｎ回に１回で処理を変更するようにしてもよい。例えば、図４では、基地局は、初回送信が広帯域送信の端末にはＮ回目の再送でＮＡＣＫと再送用Ｇｒａｎｔとを組みにして送信し、Ｎ回未満の再送ではＮＡＣＫのみを送信する。また、基地局は、２Ｎ回目の再送でＮＡＣＫと再送用Ｇｒａｎｔとを組にして送信し、Ｎ＋１回以上かつ２Ｎ回未満の再送でＮＡＣＫのみを送信する。同様な処理をＮ回毎に繰り返す。広帯域送信の端末はＮ回未満では予め決められたリソースで再送し、Ｎ回目で再送用Ｇｒａｎｔを検出できなかった場合、再送を停止する。また、Ｎ＋１回目以上かつ２Ｎ回未満では、予め決められたリソースで再送し、２Ｎ回目では、再送用Ｇｒａｎｔを検出できなかった場合、再送を停止する。なお、切り替えの間隔をＮ回未満とＮ回目として説明したが、上記に限定するものではない。
【００５１】
また、広帯域送信におけるＮ回未満の再送を予め決められたリソースで行うことに限定する必要はなく、再送用Ｇｒａｎｔで指示されたリソースで再送するか、予め決められたリソースで再送するかを選択できるようにしてもよい。例えば、基地局は、広帯域送信における再送Ｎ回未満の端末にはＮＡＣＫのみ又はＮＡＣＫと再送用Ｇｒａｎｔとの組みのいずれかを選択して送信する。端末は、再送用Ｇｒａｎｔが検出できれば再送用Ｇｒａｎｔで指示されるリソースで再送し、再送用Ｇｒａｎｔが検出できなければ予め決められたリソースで再送してもよい。
【００５２】
（実施の形態３）
本発明の実施の形態３に係る基地局及び端末の構成は、実施の形態１の図１及び図２に示した構成と同様であり、一部の機能が異なるのみなので、図１及び図２を援用し、異なる機能について説明する。
【００５３】
本発明の実施の形態３に係る基地局において、再送用Ｇｒａｎｔ生成部１１８は、初回送信が広帯域送信を用いた端末には再送Ｎ回以上で再送用Ｇｒａｎｔを生成せず、再送Ｎ回未満で再送用Ｇｒａｎｔを生成して制御情報として符号化部１０１に出力する。また、初回送信が狭帯域送信を用いた端末には再送用Ｇｒａｎｔの有無を選択し、再送用Ｇｒａｎｔが必要であれば再送用Ｇｒａｎｔを生成して制御情報として符号化部１０１に出力する。
【００５４】
本発明の実施の形態３に係る端末において、再送用リソース判定部２０５は、復号部２０４から出力された制御情報にＮＡＣＫと再送用Ｇｒａｎｔとが含まれていた場合、再送用Ｇｒａｎｔの指示するリソースを再送用リソースと判断し、再送用リソースをＲＢ割当部２０９に出力する。ただし、再送Ｎ回未満で再送用Ｇｒａｎｔを検出できず、初回送信が広帯域送信であった場合、再送用リソース判定部２０５は、再送用リソースが存在しないと判断し、再送を停止する。また、再送Ｎ回以上で再送用Ｇｒａｎｔを検出できず、初回送信が広帯域送信であった場合、及び、再送用Ｇｒａｎｔを検出できず、初回送信が狭帯域送信であった場合、予め決められたリソースを再送用リソースと判断し、再送用リソースをＲＢ割当部２０９に出力する。
【００５５】
このように実施の形態３によれば、初回送信が広帯域送信の端末が再送Ｎ回未満で再送用Ｇｒａｎｔを検出できなかった場合、端末からの再送を停止し、再送Ｎ回以上で再送用Ｇｒａｎｔを送信しないことにより、シグナリング量を低減することができる。
【００５６】
なお、不連続な周波数帯域を用いる端末と連続する周波数帯域を用いる端末とが存在するシステムにおいて、初回送信で不連続な周波数帯域を用い、（１）再送Ｎ回未満の端末には基地局はＮＡＣＫと再送用Ｇｒａｎｔとを組にして送信し、（２）再送Ｎ回以上となる端末には基地局はＮＡＣＫのみ送信する。また、初回送信で連続する周波数帯域を用いる端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信する。なお、初回送信で不連続な周波数帯域を用い、再送Ｎ回以上の端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信してもよい。
【００５７】
一方、端末では、初回送信で不連続な周波数帯域を用いた端末が再送Ｎ回未満で再送用Ｇｒａｎｔを検出できなかった場合、端末は再送を停止する。また、初回送信で不連続な周波数帯域を用いた端末がＮ回以上の再送で再送用Ｇｒａｎｔを検出できなかった場合、予め決められたリソースで再送する。さらに、初回送信で連続する周波数帯域を用いた端末が再送用Ｇｒａｎｔを検出できなかった場合、端末は予め決められたリソースで再送する。なお、連続する周波数帯域又は不連続な周波数帯域を用いる端末が、再送用Ｇｒａｎｔを検出すれば再送用Ｇｒａｎｔの指示するリソースに従って再送する。
【００５８】
また、ディストリビューティド送信を行う端末とローカライズド送信を行う端末とが存在するシステムにおいて、初回送信でディストリビューティド送信を行い、（１）再送Ｎ回未満の端末には基地局はＮＡＣＫと再送用Ｇｒａｎｔを組にして送信し、（２）再送Ｎ回以上となる端末には基地局はＮＡＣＫのみ送信する。また、初回送信でローカライズド送信を用いる端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信する。なお、初回送信でディストリビューティド送信を用い、再送Ｎ回以上の端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信してもよい。
【００５９】
一方、端末では、初回送信でディストリビューティド送信を行い、再送Ｎ回未満の端末が再送用Ｇｒａｎｔを検出できなかった場合、端末は再送を停止する。また、初回送信でディストリビューティド送信を行った端末がＮ回以上の再送で再送用Ｇｒａｎｔを検出できなかった場合、予め決められたリソースで再送する。さらに、初回送信でローカライズド送信を用いた端末が再送用Ｇｒａｎｔを検出できなかった場合、端末は予め決められたリソースで再送する。なお、ディストリビューティド送信を行う端末、ローカライズド送信を行う端末のいずれにおいても、再送用Ｇｒａｎｔを検出すれば再送用Ｇｒａｎｔの指示するリソースに従って再送する。
【００６０】
なお、本実施の形態では、Ｎ回未満とＮ回以上とで処理を変更するものとして説明したが、Ｎ回に１回で処理を変更するようにしてもよい。例えば、図５に示したように、基地局は、初回送信が広帯域送信の端末にはＮ回未満の再送でＮＡＣＫと再送用Ｇｒａｎｔとを組みにして送信し、Ｎ回目の再送でＮＡＣＫのみを送信する。また、基地局は、Ｎ＋１回以上かつ２Ｎ回未満の再送でＮＡＣＫと再送用Ｇｒａｎｔとを組みにして送信し、２Ｎ回目の再送でＮＡＣＫのみを送信する。同様な処理をＮ回毎に繰り返す。広帯域送信の端末はＮ回未満で再送用Ｇｒａｎｔを検出できなかった場合、再送を停止し、Ｎ回目で予め決められたリソースで再送する。また、Ｎ＋１回目以上かつ２Ｎ回未満では、再送用Ｇｒａｎｔを検出できなかった場合、再送を停止し、２Ｎ回目では、予め決められたリソースで再送する。なお、切り替えの間隔をＮ回未満とＮ回目として説明したが、上記に限定するものではない。
【００６１】
また、広帯域送信におけるＮ回以上の再送を予め決められたリソースで行うことに限定する必要はなく、再送用Ｇｒａｎｔで指示されたリソースで再送するか、予め決められたリソースで再送するかを選択できるようにしてもよい。例えば、広帯域送信における再送Ｎ回以上の端末には、基地局はＮＡＣＫのみ又はＮＡＣＫと再送用Ｇｒａｎｔとの組みのいずれかを選択して送信する。端末は、再送用Ｇｒａｎｔを検出できれば再送用Ｇｒａｎｔで指示されるリソースで再送し、再送用Ｇｒａｎｔを検出できなければ予め決められたリソースで再送してもよい。
【００６２】
なお、上述した各実施の形態において、連続する周波数帯域として、連続するサブキャリア又は一定間隔のサブキャリアが挙げられ、不連続な周波数帯域として、これら連続する周波数帯域以外としてもよい。また、連続する周波数帯域を非離散的な周波数帯域と称し、不連続な周波数帯域を離散的な周波数帯域と称する場合もある。また、不連続な周波数帯域をＯＦＤＭ（Orthogonal Frequency Division Multiplex）に、連続する周波数帯域をＳＣ−ＯＦＤＭ（Single Carrier Frequency Division Multiplex）に置き換えてもよい。
【００６３】
また、上述した各実施の形態において、広帯域送信と狭帯域送信とを用いて説明したが、それぞれデータサイズの大小に置き換えてもよいし、１レイヤ当たりのデータ数の大小に置き換えてもよい。また、広帯域送信は２０ＭＨｚを超える帯域での送信、狭帯域送信は２０ＭＨｚ以下の帯域での送信としてもよい。
【００６４】
また、上述した実施の形態１では、初回送信の送信方法（送信帯域幅、送信帯域の連続性等）を基準にする場合について説明したが、本発明はこれに限らず、Ｘ（Ｘ：整数）回前の再送の送信方法を基準にしてもよい。例えば、再送Ｎ回目の場合、Ｎ−１回目の再送をもとにして再送処理方法を決定してもよい。すなわち、初回送信を前回送信と置き換えてもよい。
【００６５】
また、上述した実施の形態２及び３では、広帯域送信と狭帯域送信、不連続な周波数帯域と連続する周波数帯域など、２種類に分類した場合について説明したが、２種類に限定する必要はない。例えば、実施の形態２では、広帯域になるほどＮの値を増加させてもよい。つまり、広帯域と狭帯域との間の中帯域の送信ではＮを小さく、広帯域送信ではＮを大きくしてもよい。また、実施の形態３では、広帯域になるほどＮの値を減少させてもよい。例えば、中帯域の送信ではＮを大きく、広帯域送信ではＮを小さくしてもよい。
【００６６】
また、上述した各実施の形態では、上り回線を例に説明したが、下り回線であってもよい。また、ＨＡＲＱを例に説明したが、ＡＲＱであってもよい。
【００６７】
また、上述した各実施の形態では、本発明をハードウェアで構成する場合を例にとって説明したが、本発明はソフトウェアで実現することも可能である。
【００６８】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００６９】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００７０】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００７１】
２００８年９月２９日出願の特願２００８−２５０６１７の日本出願に含まれる明細書、図面及び要約書の開示内容は、すべて本願に援用される。
【産業上の利用可能性】
【００７２】
本発明にかかる無線送信装置及び無線送信方法は、例えば、移動通信システムの無線通信基地局装置及び無線通信端末装置等に適用できる。
【図１】
2010035495.tif 000003
【図２】
2010035495.tif 000004
【図３】
2010035495.tif 000005
【図４】
2010035495.tif 000006
【図５】
2010035495.tif 000007
【手続補正書】
【提出日】平成23年1月6日(2011.1.6)
【手続補正１】
【補正対象書類名】明細書
【補正対象項目名】全文
【補正方法】変更
【補正の内容】
【発明の詳細な説明】
【技術分野】
【０００１】
本発明は、再送を行う無線送信装置及び無線送信方法に関する。
【背景技術】
【０００２】
誤り制御技術の一つとして、ＨＡＲＱ（Hybrid Auto Repeat reQuest）がある。ＨＡＲＱは、送信側が誤ったパケットを再送し、受信側において受信済みパケットと再送パケットとを合成することにより、誤り訂正能力を向上させ、高品質伝送を実現する技術である。このＨＡＲＱ技術は、ＨＳＤＰＡ（High Speed Downlink Packet Access）及びＬＴＥ（Long Term Evolution）において採用されている。
【０００３】
ＨＡＲＱの方法として、アダプティブＨＡＲＱ（adaptive HARQ）とノンアダプティブＨＡＲＱ（non-adaptive HARQ）とが検討されている。アダプティブＨＡＲＱは、再送パケットを任意のリソースに割り当てる方法である。一方、ノンアダプティブＨＡＲＱは、再送パケットを予め定められているリソースに割り当てる方法である。
【０００４】
アダプティブＨＡＲＱは、送信時の伝搬路品質の良いリソースにパケットを割り当てるので、パケットの誤り率を改善することができ、再送回数を低減させることができる。逆に、任意のリソースにパケットを割り当てるため、パケット送信毎にパケットの割り当てリソース位置を通知するためのシグナリングが必要となり、シグナリングオーバーヘッドが増大するという問題がある。
【０００５】
一方、ノンアダプティブＨＡＲＱは、予め定められているリソースにパケットを割り当てるので、送信時の伝搬路品質は必ずしも良いとはいえず、平均的なパケットの誤り率となるため、再送回数が増加する傾向となる。逆に、予め定められたリソースにパケットを割り当てるため、パケット送信毎にパケットの割り当てリソース位置を通知する必要がなく、シグナリングオーバーヘッドが小さいという利点がある。
【０００６】
このように、アダプティブＨＡＲＱとノンアダプティブＨＡＲＱとの間には、再送回数とシグナリングオーバーヘッドに関してトレードオフの関係がある。そこで、このトレードオフの関係を解決する方法として、アダプティブＨＡＲＱとノンアダプティブＨＡＲＱとを組み合わせたセミアダプティブＨＡＲＱ（semi-adaptive HARQ）が提案されている。
【０００７】
ここで、セミアダプティブＨＡＲＱについて、上り回線のパケット伝送を想定して説明する。セミアダプティブＨＡＲＱでは、基地局は、リソース割り当てを変更したい場合にのみ、リソースの位置、すなわち、スケジューリング情報を通知するためのシグナリングを実施する。無線通信端末装置（以下、単に「端末」という）は、基地局からのシグナリングを受信できなければ、自端末宛のスケジューリング情報が基地局より送信されなかったと判断し、予め定められているリソースでパケットを送信する。一方、基地局からのシグナリングを受信できた場合、端末はシグナリングによって通知されたリソース位置でパケットを送信する。つまり、端末は基地局からのシグナリングの有無に応じて、アダプティブＨＡＲＱとノンアダプティブＨＡＲＱとを切り替えることとなる。
【０００８】
このように、セミアダプティブＨＡＲＱにより、基地局は必要に応じてシグナリングを送信し、パケットの割り当てリソース位置を変更すればよいため、少ないシグナリングオーバーヘッドで再送回数を低減することが可能となる。
【先行技術文献】
【非特許文献】
【０００９】
【非特許文献１】3GPP TS 36.300 V8.3.0 Technical Specification Group Radio Access Network; E-UTRA and E-UTRAN; Overall description; Stage 2 (Release 8), "11 Scheduling and Rate Control"
【発明の概要】
【発明が解決しようとする課題】
【００１０】
しかしながら、上述した技術では、端末がリソース割り当てシグナルを検出できなかった場合、予め定められたリソースでパケットを送信するため、他の端末が同じリソースを使用してパケットを送信した場合、パケットの衝突が発生するという問題がある。
【００１１】
本発明の目的は、再送において、リソース割り当て信号を検出できなかった場合でも、送信パケットの衝突発生率を低減する無線送信装置及び無線送信方法を提供することである。
【課題を解決するための手段】
【００１２】
本発明の無線送信装置は、送信データにリソースを割り当てるリソース割当手段と、リソースを割り当てた前記送信データを送信する送信手段と、初回送信が所定値以上の送信帯域幅を用い、かつ、再送用のリソース割り当て信号を検出できなかった場合、前記リソース割当手段に再送の停止を指示する再送用リソース判定手段と、を具備する構成を採る。
【００１３】
本発明の無線送信方法は、送信データにリソースを割り当てるリソース割当工程と、リソースを割り当てた前記送信データを送信する送信工程と、初回送信が所定値以上の送信帯域幅を用い、かつ、再送用のリソース割り当て信号を検出できなかった場合、再送を停止する再送用リソース判定工程と、を具備するようにした。
【発明の効果】
【００１４】
本発明によれば、再送において、リソース割り当て信号を検出できなかった場合でも、送信パケットの衝突発生率を低減することができる。
【図面の簡単な説明】
【００１５】
【図１】本発明の実施の形態１に係る基地局の構成を示すブロック図
【図２】本発明の実施の形態１に係る端末の構成を示すブロック図
【図３】広帯域送信の再送と狭帯域送信の再送とにおいて、リソースが衝突する様子を示す図
【図４】Ｎ回毎に処理を繰り返す様子を示す図
【図５】Ｎ回毎に処理を繰り返す様子を示す図
【発明を実施するための形態】
【００１６】
以下、本発明の実施の形態について、図面を参照して詳細に説明する。ただし、実施の形態において、同一機能を有する構成には、同一符号を付し、重複する説明は省略する。
【００１７】
（実施の形態１）
図１は、本発明の実施の形態１に係る基地局１００の構成を示すブロック図である。図１において、符号化部１０１は、入力された送信データ及び制御情報に対して符号化処理を施して符号語データを生成し、変調部１０２に出力する。変調部１０２は、符号化部１０１から出力された符号語データに対して変調処理を施してデータシンボルを生成し、送信ＲＦ部１０３に出力する。送信ＲＦ部１０３は、変調部１０２から出力されたデータシンボルに対してＤ／Ａ変換、増幅及びアップコンバート等の送信処理を施し、アンテナ１
０４から各端末へ送信する。
【００１８】
受信ＲＦ部１０５は、アンテナ１０４を介して受信される各端末からの信号に対しダウンコンバート、Ａ／Ｄ変換等の受信処理を施し、分離部１０６に出力する。
【００１９】
分離部１０６は、受信ＲＦ部１０５から出力された信号をパイロット信号とそれ以外のデータ信号及び制御信号とに分離して、パイロット信号はＤＦＴ（Discrete Fourier Transform）部１０７に出力し、データ信号及び制御信号はＤＦＴ部１０８に出力する。
【００２０】
ＤＦＴ部１０７は、分離部１０６から出力されたパイロット信号にＤＦＴ処理を施し、デマッピング部１０９に出力し、ＤＦＴ部１０８は、分離部１０６から出力されたデータ信号及び制御信号にＤＦＴ処理を施し、デマッピング部１１１に出力する。
【００２１】
デマッピング部１０９は、ＤＦＴ部１０７から出力されたパイロット信号のうち、各端末の送信帯域に対応した部分を抽出し、伝播路推定部１１０に出力する。
【００２２】
伝播路推定部１１０は、デマッピング部１０９から出力された信号を用いて、伝播路の周波数変動及び受信品質を推定し、周波数変動の推定値を周波数領域等化部１１２に出力し、受信品質の推定値をスケジューリング部１１７に出力する。
【００２３】
一方、デマッピング部１１１は、ＤＦＴ部１０８から出力されたデータ信号及び制御信号のうち、各端末の送信帯域に対応した部分を抽出し、周波数領域等化部１１２に出力する。
【００２４】
周波数領域等化部１１２は、伝播路測定部１１０から出力された伝搬路の周波数変動の推定値を用いて、デマッピング部１１１から出力されたデータ信号及び制御情報に対して周波数領域での等化処理を行い、等化処理した信号をＩＦＦＴ（Inverse Fast Fourier Transfrom）部１１３に出力する。
【００２５】
ＩＦＦＴ部１１３は、周波数領域等化部１１２から出力された信号にＩＦＦＴ処理を施し、復調部１１４に出力する。復調部１１４は、ＩＦＦＴ部１１３から出力されたデータ信号及び制御信号に復調処理を施し、復号部１１５に出力する。復号部１１５は、復調部１１４から出力された信号に対して復号処理を行い、誤り検出部１１６に出力する。
【００２６】
誤り検出部１１６は、復号部１１５から出力された復号ビット列に対して誤り検出を行う。例えば、ＣＲＣ（Cyclic Redundancy Check）を用いて誤り検出を行う。誤り検出の結果、復号ビット列に誤りがある場合には、応答信号としてＮＡＣＫ信号（制御情報）を生成し、逆に、復号に誤りがない場合には、応答信号としてＡＣＫ信号（制御情報）を生成する。ＡＣＫ／ＮＡＣＫ信号は制御情報として符号化部１０１及びスケジューリング部１１７に出力される。また、復号ビット列に誤りがない場合は復号ビット列を受信ビット列（受信データ）として出力する。
【００２７】
スケジューリング部１１７は、伝播路推定部１１０から出力された受信品質の推定値を用いて、各端末に周波数割り当て（スケジューリング）を行い、スケジューリング情報を制御情報として符号化部１０１及び再送用Ｇｒａｎｔ生成部１１８に出力する。
【００２８】
再送用Ｇｒａｎｔ生成部１１８は、初回送信が所定の閾値以上の帯域幅（広帯域送信）を用いた端末には、再送用Ｇｒａｎｔ（リソース割当情報又はスケジューリング情報）を生成して制御情報として符号化部１０１に出力する。また、再送用Ｇｒａｎｔ生成部１１８は、初回送信が所定の閾値未満の帯域幅（狭帯域送信）を用いた端末には再送用Ｇｒａ
ｎｔの有無を選択し、再送用Ｇｒａｎｔが必要であれば再送用Ｇｒａｎｔを生成して制御情報として符号化部１０１に出力する。
【００２９】
図２は、本発明の実施の形態１に係る端末２００の構成を示すブロック図である。図２において、受信ＲＦ部２０２は、基地局１００から送信された信号をアンテナ２０１を介して受信し、受信した信号にダウンコンバート、Ａ／Ｄ変換等の受信処理を施して復調部２０３に出力する。復調部２０３は、受信ＲＦ部２０２から出力された信号に対して等化処理及び復調処理を行い、復号部２０４に出力する。復号部２０４は、復調部２０３から出力された信号に対して復号処理を施してデータ信号及び制御情報を抽出する。ここで、制御情報は再送用リソース判定部２０５、符号化部２０７、変調部２０８、ＲＢ（Resource Block）割当部２０９、多重化部２１０に出力される。なお、制御情報には、再送用Ｇｒａｎｔ、ＡＣＫ／ＮＡＣＫ情報、初回送信の帯域幅などの情報が含まれる。
【００３０】
再送用リソース判定部２０５は、復号部２０４から出力された制御情報にＮＡＣＫと再送用Ｇｒａｎｔとが含まれていた場合、再送用Ｇｒａｎｔの指示するリソースを再送用リソースと判断し、再送用リソースをＲＢ割当部２０９に出力する。ただし、再送用Ｇｒａｎｔを検出できず、初回送信が広帯域送信であった場合、再送用リソース判定部２０５は、再送用リソースが存在しないと判断し、再送を停止するようＲＢ割当部２０９に指示する。また、再送用Ｇｒａｎｔを検出できず、初回送信が狭帯域送信であった場合、予め決められたリソースを再送用リソースと判断し、再送用リソースをＲＢ割当部２０９に出力する。
【００３１】
ＣＲＣ部２０６は、入力された送信データ列に対して誤り検出符号化を施し、符号化部２０７に出力する。符号化部２０７は、復号部２０４から出力された制御情報に基づいて、ＣＲＣ部２０６から出力された信号に符号化処理を施して符号語データを生成し、変調部２０８に出力する。変調部２０８は、復号部２０４から出力された制御情報に基づいて、符号化部２０７から出力された符号語データに対して変調処理を施してデータシンボルを生成し、ＲＢ割当部２０９に出力する。ＲＢ割当部２０９は、復号部２０４から出力された制御情報及び再送用リソース判定部２０５から出力された再送用リソースに基づいて、変調部２０８から出力されたデータシンボルにリソースブロックを割り当て、多重化部２１０に出力する。多重化部２１０は、復号部２０４から出力された制御情報に基づいて、入力されたパイロット信号とＲＢ割当部２０９から出力された送信データとを時間多重し、送信ＲＦ部２１１に出力する。送信ＲＦ部２１１は、多重化部２１０から出力された送信データとパイロット信号とに対してＤ／Ａ変換、増幅及びアップコンバート等の送信処理を施し、アンテナ２０１から基地局１００へ送信する。
【００３２】
ここで、広帯域送信の再送と狭帯域送信の再送とにおいて、リソースが衝突する様子について図３を用いて説明する。図３Ａは狭帯域送信の再送の場合を示しており、この場合、再送する端末が他端末Ａにのみ干渉を与えている。一方、図３Ｂは広帯域送信の再送の場合を示しており、この場合、再送する端末が他端末Ａ〜Ｃに幅広く干渉を与えている。このように、広帯域送信の再送が狭帯域送信の再送より多数の端末に干渉を与えることが分かる。
【００３３】
そこで、本実施の形態では、上述したように、広帯域送信の端末が再送用Ｇｒａｎｔを検出できなかった場合には、再送を停止するようにした。これにより、広帯域送信の端末が多数の他の端末に干渉を与えることを回避することができ、送信パケットの衝突発生率を低減することができる。
【００３４】
このように実施の形態１によれば、初回送信が広帯域送信の端末が再送用Ｇｒａｎｔを検出できなかった場合、端末からの再送を停止することにより、広帯域送信の端末が多数
の他の端末に干渉を与えることを回避することができ、送信パケットの衝突発生率を低減することができ、よって、他の端末の受信品質を改善することができる。
【００３５】
なお、端末が送信に用いるサブキャリア数を一定とした場合、サブキャリアが連続する周波数帯域であれば不連続な周波数帯域よりも狭帯域送信となる。つまり、上述した狭帯域送信を連続する周波数帯域、広帯域送信を不連続な周波数帯域と置き換えてもよい。また、狭帯域送信及び広帯域送信を、R1-062513,“Performance comparison between LFDMA
and DFSMA transmission in UL”, 3GPP TSG RAN1#46bis, Seoul, Korea, October 9-13, 2006などに記載されているローカライズド（Localized）送信及びディストリビューティド（Distributed）送信にそれぞれ置き換えてもよい。つまり、連続する周波数帯域としてはローカライズド送信、不連続な周波数帯域としてはディストリビューティド送信と置き換えることができる。
【００３６】
具体的には、不連続な周波数帯域を用いる端末と連続する周波数帯域を用いる端末とが存在するシステムにおいて、初回送信で不連続な周波数帯域を用いた端末には、基地局はＮＡＣＫと再送用Ｇｒａｎｔを組にして送信する。また、初回送信で連続する周波数帯域を用いた端末には、基地局はＮＡＣＫのみ又はＮＡＣＫと再送用Ｇｒａｎｔとの組みのいずれかを選択する。
【００３７】
一方、端末では、初回送信で不連続な周波数帯域を用いた端末が再送用Ｇｒａｎｔを検出できなかった場合、端末は再送を停止する。また、初回送信で連続する周波数帯域を用いた端末が再送用Ｇｒａｎｔを検出できなかった場合、予め決められたリソースで再送する。なお、不連続な周波数帯域を用いる端末、連続する周波数帯域を用いる端末のいずれにおいても、再送用Ｇｒａｎｔを検出すれば再送用Ｇｒａｎｔの指示するリソースに従って再送する。
【００３８】
また、ディストリビューティド送信を行う端末とローカライズド送信を行う端末とが存在するシステムにおいて、初回送信でディストリビューティド送信を行う端末には、基地局はＮＡＣＫと再送用Ｇｒａｎｔを組にして送信する。また、初回送信でローカライズド送信を行う端末には、基地局はＮＡＣＫのみ又はＮＡＣＫと再送用Ｇｒａｎｔとの組みのいずれかを選択する。
【００３９】
一方、端末では、初回送信でディストリビューティド送信を行った端末が再送用Ｇｒａｎｔを検出できなかった場合、端末は再送を停止する。また、初回送信でローカライズド送信を行った端末が再送用Ｇｒａｎｔを検出できなかった場合、予め決められたリソースで再送する。なお、ディストリビューティド送信を行う端末、ローカライズド送信を行う端末のいずれにおいても、再送用Ｇｒａｎｔを検出すれば再送用Ｇｒａｎｔの指示するリソースに従って再送する。
【００４０】
ここで、ＬＴＥに対応する端末ではローカライズド送信（または連続する周波数帯域）が用いられ、ＬＴＥ−Ａｄｖａｎｃｅｄに対応する端末ではローカライズド送信（または連続する周波数帯域）に加え、ディストリビューティド送信（または不連続な周波数帯域）が用いられることが検討されている。また、ＬＴＥ−Ａｄｖａｎｃｅｄでは、ＬＴＥ−Ａｄｖａｎｃｅｄに対応する端末のみならず、ＬＴＥに対応する端末が収容されることが検討されており、ＬＴＥ−ＡｄｖａｎｃｅｄではＬＴＥ対応の端末及びＬＴＥ−Ａｄｖａｎｃｅｄ対応の端末が同一周波数帯域で共存することが検討されている。すなわち、ＬＴＥ−Ａｄｖａｎｃｅｄでは、ディストリビューティド送信（または不連続な周波数帯域）を用いる端末の数よりも、ローカライズド送信（または連続する周波数帯域）を用いる端末の数の方が多くなる。
【００４１】
よって、端末が基地局からの再送用Ｇｒａｎｔを検出できなかった場合に、その端末から干渉を受けてしまう可能性がある他の端末として、ローカライズド送信（または連続する周波数帯域）を用いる端末を考慮することが望ましい。そこで、上記の説明では、基地局が再送用Ｇｒａｎｔを端末に送信する際に、再送用Ｇｒａｎｔが送信されない場合に用いる予め決められたリソースに割り当てる他の端末として、ローカライズド送信（または連続する周波数帯域）を用いる端末を想定した。
【００４２】
（実施の形態２）
本発明の実施の形態２に係る基地局及び端末の構成は、実施の形態１の図１及び図２に示した構成と同様であり、一部の機能が異なるのみなので、図１及び図２を援用し、異なる機能について説明する。
【００４３】
本発明の実施の形態２に係る基地局において、再送用Ｇｒａｎｔ生成部１１８は、初回送信で広帯域送信を用いた端末には再送Ｎ回未満で再送用Ｇｒａｎｔを生成せず、再送Ｎ回以上で再送用Ｇｒａｎｔを生成して制御情報として符号化部１０１に出力する。また、初回送信で狭帯域送信を用いた端末には再送用Ｇｒａｎｔの有無を選択し、再送用Ｇｒａｎｔが必要であれば再送用Ｇｒａｎｔを生成して制御情報として符号化部１０１に出力する。なお、Ｎは正数であり、上限は各種パラメータによって決定される。なお、初回送信で広帯域送信を用いた端末には再送Ｎ回未満で再送用Ｇｒａｎｔの有無を選択し、再送用Ｇｒａｎｔが必要であれば再送用Ｇｒａｎｔを生成して制御情報として符号化部１０１に出力してもよい。
【００４４】
本発明の実施の形態２に係る端末において、再送用リソース判定部２０５は、復号部２０４から出力された制御情報にＮＡＣＫと再送用Ｇｒａｎｔとが含まれていた場合、再送用Ｇｒａｎｔの指示するリソースを再送用リソースと判断し、再送用リソースをＲＢ割当部２０９に出力する。ただし、再送Ｎ回以上で再送用Ｇｒａｎｔを検出できず、初回送信が広帯域送信であった場合、再送用リソース判定部２０５は、再送用リソースが存在しないと判断し、再送を停止するよう、ＲＢ割当部２０９に指示する。また、再送Ｎ回未満で再送用Ｇｒａｎｔを検出できず、初回送信が広帯域送信であった場合、及び、再送用Ｇｒａｎｔを検出できず、初回送信が狭帯域送信であった場合、予め決められたリソースを再送用リソースと判断し、再送用リソースをＲＢ割当部２０９に出力する。
【００４５】
このように実施の形態２によれば、初回送信が広帯域送信の端末が再送Ｎ回以上で再送用Ｇｒａｎｔを検出できなかった場合、端末からの再送を停止し、再送Ｎ回未満で再送用Ｇｒａｎｔを送信しないことにより、シグナリング量を低減することができる。
【００４６】
なお、不連続な周波数帯域を用いる端末と連続する周波数帯域を用いる端末とが存在するシステムにおいて、初回送信で不連続な周波数帯域を用い、（１）再送Ｎ回未満の端末には基地局はＮＡＣＫのみ送信し、（２）再送Ｎ回以上となる端末には基地局はＮＡＣＫと再送用Ｇｒａｎｔとを組にして送信する。また、初回送信で連続する周波数帯域を用いる端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信する。なお、初回送信で不連続な周波数帯域を用い、再送Ｎ回未満の端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信してもよい。
【００４７】
一方、端末では、初回送信で不連続な周波数帯域を用いた端末が再送Ｎ回以上で再送用Ｇｒａｎｔを検出できなかった場合、端末は再送を停止する。また、初回送信で不連続な周波数帯域を用いた端末がＮ回未満の再送で再送用Ｇｒａｎｔを検出できなかった場合、
予め決められたリソースで再送する。さらに、初回送信で連続する周波数帯域を用いた端末が再送用Ｇｒａｎｔを検出できなかった場合、端末は予め決められたリソースで再送する。なお、連続する周波数帯域又は不連続な周波数帯域を用いる端末が、再送用Ｇｒａｎｔを検出すれば再送用Ｇｒａｎｔの指示するリソースに従って再送する。
【００４８】
また、ディストリビューティド送信を行う端末とローカライズド送信を行う端末とが存在するシステムにおいて、初回送信でディストリビューティド送信を行い、（１）再送Ｎ回未満の端末には基地局はＮＡＣＫのみ送信し、（２）再送Ｎ回以上となる端末には基地局はＮＡＣＫと再送用Ｇｒａｎｔを組にして送信する。また、初回送信でローカライズド送信を用いる端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信する。なお、初回送信でディストリビューティド送信を用い、再送Ｎ回未満の端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信してもよい。
【００４９】
一方、端末では、初回送信でディストリビューティド送信を行い、再送Ｎ回以上となる端末が再送用Ｇｒａｎｔを検出できなかった場合、端末は再送を停止する。また、初回送信でディストリビューティド送信を行った端末がＮ回未満の再送で再送用Ｇｒａｎｔを検出できなかった場合、予め決められたリソースで再送する。さらに、初回送信でローカライズド送信を用いた端末が再送用Ｇｒａｎｔを検出できなかった場合、端末は予め決められたリソースで再送する。なお、ディストリビューティド送信を行う端末、ローカライズド送信を行う端末のいずれにおいても、再送用Ｇｒａｎｔを検出すれば再送用Ｇｒａｎｔの指示するリソースに従って再送する。
【００５０】
なお、本実施の形態では、Ｎ回未満とＮ回以上とで処理を変更するものとして説明したが、Ｎ回に１回で処理を変更するようにしてもよい。例えば、図４では、基地局は、初回送信が広帯域送信の端末にはＮ回目の再送でＮＡＣＫと再送用Ｇｒａｎｔとを組みにして送信し、Ｎ回未満の再送ではＮＡＣＫのみを送信する。また、基地局は、２Ｎ回目の再送でＮＡＣＫと再送用Ｇｒａｎｔとを組にして送信し、Ｎ＋１回以上かつ２Ｎ回未満の再送でＮＡＣＫのみを送信する。同様な処理をＮ回毎に繰り返す。広帯域送信の端末はＮ回未満では予め決められたリソースで再送し、Ｎ回目で再送用Ｇｒａｎｔを検出できなかった場合、再送を停止する。また、Ｎ＋１回目以上かつ２Ｎ回未満では、予め決められたリソースで再送し、２Ｎ回目では、再送用Ｇｒａｎｔを検出できなかった場合、再送を停止する。なお、切り替えの間隔をＮ回未満とＮ回目として説明したが、上記に限定するものではない。
【００５１】
また、広帯域送信におけるＮ回未満の再送を予め決められたリソースで行うことに限定する必要はなく、再送用Ｇｒａｎｔで指示されたリソースで再送するか、予め決められたリソースで再送するかを選択できるようにしてもよい。例えば、基地局は、広帯域送信における再送Ｎ回未満の端末にはＮＡＣＫのみ又はＮＡＣＫと再送用Ｇｒａｎｔとの組みのいずれかを選択して送信する。端末は、再送用Ｇｒａｎｔが検出できれば再送用Ｇｒａｎｔで指示されるリソースで再送し、再送用Ｇｒａｎｔが検出できなければ予め決められたリソースで再送してもよい。
【００５２】
（実施の形態３）
本発明の実施の形態３に係る基地局及び端末の構成は、実施の形態１の図１及び図２に示した構成と同様であり、一部の機能が異なるのみなので、図１及び図２を援用し、異なる機能について説明する。
【００５３】
本発明の実施の形態３に係る基地局において、再送用Ｇｒａｎｔ生成部１１８は、初回送信が広帯域送信を用いた端末には再送Ｎ回以上で再送用Ｇｒａｎｔを生成せず、再送Ｎ回未満で再送用Ｇｒａｎｔを生成して制御情報として符号化部１０１に出力する。また、初回送信が狭帯域送信を用いた端末には再送用Ｇｒａｎｔの有無を選択し、再送用Ｇｒａｎｔが必要であれば再送用Ｇｒａｎｔを生成して制御情報として符号化部１０１に出力する。
【００５４】
本発明の実施の形態３に係る端末において、再送用リソース判定部２０５は、復号部２０４から出力された制御情報にＮＡＣＫと再送用Ｇｒａｎｔとが含まれていた場合、再送用Ｇｒａｎｔの指示するリソースを再送用リソースと判断し、再送用リソースをＲＢ割当部２０９に出力する。ただし、再送Ｎ回未満で再送用Ｇｒａｎｔを検出できず、初回送信が広帯域送信であった場合、再送用リソース判定部２０５は、再送用リソースが存在しないと判断し、再送を停止する。また、再送Ｎ回以上で再送用Ｇｒａｎｔを検出できず、初回送信が広帯域送信であった場合、及び、再送用Ｇｒａｎｔを検出できず、初回送信が狭帯域送信であった場合、予め決められたリソースを再送用リソースと判断し、再送用リソースをＲＢ割当部２０９に出力する。
【００５５】
このように実施の形態３によれば、初回送信が広帯域送信の端末が再送Ｎ回未満で再送用Ｇｒａｎｔを検出できなかった場合、端末からの再送を停止し、再送Ｎ回以上で再送用Ｇｒａｎｔを送信しないことにより、シグナリング量を低減することができる。
【００５６】
なお、不連続な周波数帯域を用いる端末と連続する周波数帯域を用いる端末とが存在するシステムにおいて、初回送信で不連続な周波数帯域を用い、（１）再送Ｎ回未満の端末には基地局はＮＡＣＫと再送用Ｇｒａｎｔとを組にして送信し、（２）再送Ｎ回以上となる端末には基地局はＮＡＣＫのみ送信する。また、初回送信で連続する周波数帯域を用いる端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信する。なお、初回送信で不連続な周波数帯域を用い、再送Ｎ回以上の端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信してもよい。
【００５７】
一方、端末では、初回送信で不連続な周波数帯域を用いた端末が再送Ｎ回未満で再送用Ｇｒａｎｔを検出できなかった場合、端末は再送を停止する。また、初回送信で不連続な周波数帯域を用いた端末がＮ回以上の再送で再送用Ｇｒａｎｔを検出できなかった場合、予め決められたリソースで再送する。さらに、初回送信で連続する周波数帯域を用いた端末が再送用Ｇｒａｎｔを検出できなかった場合、端末は予め決められたリソースで再送する。なお、連続する周波数帯域又は不連続な周波数帯域を用いる端末が、再送用Ｇｒａｎｔを検出すれば再送用Ｇｒａｎｔの指示するリソースに従って再送する。
【００５８】
また、ディストリビューティド送信を行う端末とローカライズド送信を行う端末とが存在するシステムにおいて、初回送信でディストリビューティド送信を行い、（１）再送Ｎ回未満の端末には基地局はＮＡＣＫと再送用Ｇｒａｎｔを組にして送信し、（２）再送Ｎ回以上となる端末には基地局はＮＡＣＫのみ送信する。また、初回送信でローカライズド送信を用いる端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信する。なお、初回送信でディストリビューティド送信を用い、再送Ｎ回以上の端末には基地局は再送用Ｇｒａｎｔの有無を選択し、再送用Ｇｒａｎｔが必要であればＮＡＣＫと再送用Ｇｒａｎｔとを組にして送信し、再送用Ｇｒａｎｔが必要なければＮＡＣＫのみを送信してもよい。
【００５９】
一方、端末では、初回送信でディストリビューティド送信を行い、再送Ｎ回未満の端末が再送用Ｇｒａｎｔを検出できなかった場合、端末は再送を停止する。また、初回送信でディストリビューティド送信を行った端末がＮ回以上の再送で再送用Ｇｒａｎｔを検出できなかった場合、予め決められたリソースで再送する。さらに、初回送信でローカライズド送信を用いた端末が再送用Ｇｒａｎｔを検出できなかった場合、端末は予め決められたリソースで再送する。なお、ディストリビューティド送信を行う端末、ローカライズド送信を行う端末のいずれにおいても、再送用Ｇｒａｎｔを検出すれば再送用Ｇｒａｎｔの指示するリソースに従って再送する。
【００６０】
なお、本実施の形態では、Ｎ回未満とＮ回以上とで処理を変更するものとして説明したが、Ｎ回に１回で処理を変更するようにしてもよい。例えば、図５に示したように、基地局は、初回送信が広帯域送信の端末にはＮ回未満の再送でＮＡＣＫと再送用Ｇｒａｎｔとを組みにして送信し、Ｎ回目の再送でＮＡＣＫのみを送信する。また、基地局は、Ｎ＋１回以上かつ２Ｎ回未満の再送でＮＡＣＫと再送用Ｇｒａｎｔとを組みにして送信し、２Ｎ回目の再送でＮＡＣＫのみを送信する。同様な処理をＮ回毎に繰り返す。広帯域送信の端末はＮ回未満で再送用Ｇｒａｎｔを検出できなかった場合、再送を停止し、Ｎ回目で予め決められたリソースで再送する。また、Ｎ＋１回目以上かつ２Ｎ回未満では、再送用Ｇｒａｎｔを検出できなかった場合、再送を停止し、２Ｎ回目では、予め決められたリソースで再送する。なお、切り替えの間隔をＮ回未満とＮ回目として説明したが、上記に限定するものではない。
【００６１】
また、広帯域送信におけるＮ回以上の再送を予め決められたリソースで行うことに限定する必要はなく、再送用Ｇｒａｎｔで指示されたリソースで再送するか、予め決められたリソースで再送するかを選択できるようにしてもよい。例えば、広帯域送信における再送Ｎ回以上の端末には、基地局はＮＡＣＫのみ又はＮＡＣＫと再送用Ｇｒａｎｔとの組みのいずれかを選択して送信する。端末は、再送用Ｇｒａｎｔを検出できれば再送用Ｇｒａｎｔで指示されるリソースで再送し、再送用Ｇｒａｎｔを検出できなければ予め決められたリソースで再送してもよい。
【００６２】
なお、上述した各実施の形態において、連続する周波数帯域として、連続するサブキャリア又は一定間隔のサブキャリアが挙げられ、不連続な周波数帯域として、これら連続する周波数帯域以外としてもよい。また、連続する周波数帯域を非離散的な周波数帯域と称し、不連続な周波数帯域を離散的な周波数帯域と称する場合もある。また、不連続な周波数帯域をＯＦＤＭ（Orthogonal Frequency Division Multiplex）に、連続する周波数帯域をＳＣ−ＯＦＤＭ（Single Carrier Frequency Division Multiplex）に置き換えてもよい。
【００６３】
また、上述した各実施の形態において、広帯域送信と狭帯域送信とを用いて説明したが、それぞれデータサイズの大小に置き換えてもよいし、１レイヤ当たりのデータ数の大小に置き換えてもよい。また、広帯域送信は２０ＭＨｚを超える帯域での送信、狭帯域送信は２０ＭＨｚ以下の帯域での送信としてもよい。
【００６４】
また、上述した実施の形態１では、初回送信の送信方法（送信帯域幅、送信帯域の連続性等）を基準にする場合について説明したが、本発明はこれに限らず、Ｘ（Ｘ：整数）回前の再送の送信方法を基準にしてもよい。例えば、再送Ｎ回目の場合、Ｎ−１回目の再送をもとにして再送処理方法を決定してもよい。すなわち、初回送信を前回送信と置き換えてもよい。
【００６５】
また、上述した実施の形態２及び３では、広帯域送信と狭帯域送信、不連続な周波数帯
域と連続する周波数帯域など、２種類に分類した場合について説明したが、２種類に限定する必要はない。例えば、実施の形態２では、広帯域になるほどＮの値を増加させてもよい。つまり、広帯域と狭帯域との間の中帯域の送信ではＮを小さく、広帯域送信ではＮを大きくしてもよい。また、実施の形態３では、広帯域になるほどＮの値を減少させてもよい。例えば、中帯域の送信ではＮを大きく、広帯域送信ではＮを小さくしてもよい。
【００６６】
また、上述した各実施の形態では、上り回線を例に説明したが、下り回線であってもよい。また、ＨＡＲＱを例に説明したが、ＡＲＱであってもよい。
【００６７】
また、上述した各実施の形態では、本発明をハードウェアで構成する場合を例にとって説明したが、本発明はソフトウェアで実現することも可能である。
【００６８】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００６９】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００７０】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００７１】
２００８年９月２９日出願の特願２００８−２５０６１７の日本出願に含まれる明細書、図面及び要約書の開示内容は、すべて本願に援用される。
【産業上の利用可能性】
【００７２】
本発明にかかる無線送信装置及び無線送信方法は、例えば、移動通信システムの無線通信基地局装置及び無線通信端末装置等に適用できる。
【手続補正２】
【補正対象書類名】特許請求の範囲
【補正対象項目名】全文
【補正方法】変更
【補正の内容】
【特許請求の範囲】
【請求項１】
送信データにリソースを割り当てるリソース割当手段と、
リソースを割り当てた前記送信データを送信する送信手段と、
初回送信が所定値以上の送信帯域幅を用い、かつ、再送用のリソース割り当て信号を検出できなかった場合、前記リソース割当手段に再送の停止を指示する再送用リソース判定手段と、
を具備する無線送信装置。
【請求項２】
前記再送用リソース判定手段は、初回送信が所定値以上の送信帯域幅を用いるか又は初回送信が不連続な送信帯域を用い、かつ、再送用のリソース割り当て信号を検出できなかった場合、前記リソース割当手段に再送の停止を指示する請求項１に記載の無線送信装置。
【請求項３】
前記再送用リソース判定手段は、再送回数が所定回数以上であり、初回送信が所定値以上の送信帯域幅を用い、かつ、再送用のリソース割り当て信号を検出できなかった場合、前記リソース割当手段に再送の停止を指示する請求項１に記載の無線送信装置。
【請求項４】
前記再送用リソース判定手段は、再送回数が所定回数未満であり、初回送信が所定値以上の送信帯域幅を用い、かつ、再送用のリソース割り当て信号を検出できなかった場合、前記リソース割当手段に再送の停止を指示する請求項１に記載の無線送信装置。
【請求項５】
送信データにリソースを割り当てるリソース割当工程と、
リソースを割り当てた前記送信データを送信する送信工程と、
初回送信が所定値以上の送信帯域幅を用い、かつ、再送用のリソース割り当て信号を検出できなかった場合、再送を停止する再送用リソース判定工程と、
を具備する無線送信方法。
【手続補正３】
【補正対象書類名】図面
【補正対象項目名】全図
【補正方法】変更
【補正の内容】
【図１】
2010035495.tif 000008
【図２】
2010035495.tif 000009
【図３】
2010035495.tif 000010
【図４】
2010035495.tif 000011
【図５】
2010035495.tif 000012
【国際調査報告】
2010035495.tif 000013
2010035495.tif 000014